【手続補正書】
【提出日】平成21年9月16日(2009.9.16)
【手続補正１】
【補正対象書類名】明細書
【補正対象項目名】全文
【補正方法】変更
【補正の内容】
【発明の詳細な説明】
【発明の名称】空気調和機
【技術分野】
【０００１】
本発明は、室外の空気を部屋内に供給する機能を有する空気調和機に関する。
【背景技術】
【０００２】
従来より、室外の空気を部屋内に供給する給気ユニットを備える空気調和機がある。例えば、特許文献１（特開２００６−１０３０７号公報）に開示されている空気調和機は、加湿機能を有する給気ユニットを備える。この給気ユニットは、室外の空気を加湿し、加湿した室外の空気を部屋内に供給することができる。これによって、この空気調和機では、部屋内を加湿することができる。
【発明の概要】
【発明が解決しようとする課題】
【０００３】
しかしながら、特許文献１に開示されている空気調和機は、１つの部屋に対して１台の給気ユニットが配備されるように構成されている。このため、複数の部屋内へ室外の空気を供給する場合、複数台の給気ユニットを配備しなければならないことになる。
【０００４】
そこで、本発明の課題は、複数の部屋内への給気を１台の給気ユニットによって実現することができる空気調和機を提供することにある。
【課題を解決するための手段】
【０００５】
第１発明に係る空気調和機は、第１室内ユニットと、第２室内ユニットと、給気ユニットと、制御部とを備えている。第１室内ユニットは、第１部屋内に配置されている。第２室内ユニットは、第２部屋内に配置されている。給気ユニットは、第１配管と、第２配管と、第３配管と、給気ユニット本体と、切り換え部とを有している。第１配管は、第１室内ユニットに接続されている。第２配管は、第２室内ユニットに接続されている。第３配管には、室外の空気を取り込むための開口が形成されている。給気ユニット本体は、第１配管を介して第１室内ユニットに室外の空気を供給可能である。また、給気ユニット本体は、第２配管を介して第２室内ユニットに室外の空気を供給可能である。切り換え部は、仕切部材を含む。仕切部材は、少なくとも第１状態と第２状態とを切り換え可能なように、第１空間と第２空間とを仕切ることが可能である。第１状態とは、第３配管内部の第３空間と、第１配管内部の第１空間とが連通している状態である。第２状態とは、第３配管内部の第３空間と、第２配管内部の第２空間とが連通している状態である。制御部は、第１状態と第２状態とが切り換わるように、仕切部材をスライド移動させる制御を行う。
【０００６】
第１発明に係る空気調和機では、第１配管、第２配管および給気ユニット本体を有する給気ユニットを備えている。このため、第１配管を介して第１室内ユニットに室外の空気を供給し、第２配管を介して第２室内ユニットに室外の空気を供給することができる。
【０００７】
これによって、複数の部屋内への給気を１台の給気ユニットによって実現することができる。
【０００８】
また、切り換え部によって、第１室内ユニットおよび第２室内ユニットに室外の空気が供給されるように、第１配管と第２配管との連結状態が切り換えられるため、第１室内ユニットおよび第２室内ユニットに室外の空気を供給することができる。
【０００９】
さらに、仕切部材によって、第３配管内部の第３空間と第１配管内の第１空間とが連通する第１状態、または、第３配管内部の第３空間と第２配管内の第２空間とが連通する第２状態とが切り換わるように、第１空間および第２空間が仕切られる。このため、例えば、仕切部材によって第１空間が仕切られた場合、第３空間と第２空間とが連通している状態となる。また、仕切部材によって第２空間が仕切られた場合、第３空間と第１空間とが連通している状態となる。
【００１０】
これによって、第３配管と第１配管とが連通している第１状態、および、第３配管と第２配管とが連通している第２状態の少なくともいずれか一方の状態に切り換えることができる。
【００１１】
また、制御部によって、第１状態または第２状態に切り換わるように、仕切部材がスライド移動される。このため、この空気調和機では、仕切部材をスライドさせることによって、切り換え部の切り換えを行うことができる。
【００１２】
第２発明に係る空気調和機は、第１発明の空気調和機であって、第３配管は、仕切部材の移動方向の延長線上に配置されている。このため、この空気調和機では、仕切部材の延長線上に第３配管を配置することができる。
【００１３】
第３発明に係る空気調和機は、第１発明または第２発明の空気調和機であって、切り換え部は、ケーシングを更に有している。ケーシングは、第１配管、第２配管および第３配管と接続されている。また、ケーシングは、仕切部材を内部に収納している。さらに、制御部は、仕切部材を、ケーシングの長手方向にスライド移動させる。このため、この空気調和機では、仕切部材を、ケーシングの長手方向にスライド移動させることができる。
【００１４】
第４発明に係る空気調和機は、第３発明の空気調和機であって、仕切部材は、ケーシング内部の空間を、第４空間と第５空間とに仕切ることが可能である。第４空間とは、ケーシング内部の空間において、第３配管とケーシングとの接続部分を含む空間のことである。第５空間とは、ケーシング内部の空間において、第４空間以外の空間のことである。また、切り換え部は、第４空間と第５空間とを接続する接続部を更に有している。このため、例えば、第３空間から第４空間に流れてきた空気を、接続部を介して第５空間に流すことができる。したがって、この空気調和機では、仕切部材によって仕切られている第４空間と第５空間とを接続することができる。
【００１５】
第５発明に係る空気調和機は、第４発明の空気調和機であって、仕切部材には、接続部内部の空間と、第１空間および第２空間とを連通させるための連通路が形成されている。このため、例えば、第３空間から第４空間に流れてきた空気を、接続部内部の空間および連通路を介して、第１空間および第２空間に流すことができる。したがって、この空気調和機では、接続部内部の空間と、第１空間および第２空間とを連通させることができる。
【００１６】
第６発明に係る空気調和機は、第４発明または第５発明の空気調和機であって、接続部は、ケーシングの上側に配置されている。このため、この空気調和機では、接続部をケーシングの上側に配置することができる。
【００１７】
第７発明に係る空気調和機は、第１発明から第６発明のいずれかの空気調和機であって、制御部は、前記制御を行うことで、第１空間および第２空間と第３空間とを同時に連通させることが可能である。このため、第１室内ユニットおよび第２室内ユニットに対して室外の空気を同時に供給することができる。
【００１８】
これによって、複数の部屋内へ同時に給気することができる。
【００１９】
第８発明に係る空気調和機は、第１発明から第７発明のいずれかの空気調和機であって、給気ユニットは、第１配管、第２配管および第３配管を介して、第１部屋内および第２部屋内の空気を室外に排気することができる。このため、この空気調和機では、部屋内の空気を室外に排気することができる。
【００２０】
第９発明に係る空気調和機は、第１発明から第８発明のいずれかの空気調和機であって、制御部は、前記制御を行うことで、第１配管の内側および第２配管の内側を流れる空気の流量を調節可能である。このため、各室内ユニットに供給される空気の量を調節することができる。
【００２１】
第１０発明に係る空気調和機は、第１発明から第９発明のいずれかの空気調和機であって、第１配管および第２配管には、第３配管の径よりも小さい径の配管が用いられる。このため、例えば、第１配管および第２配管に第３配管の径よりも大きい径の配管が用いられる場合と比較して、第３配管内部における圧力損失を減らすことができる。
【発明の効果】
【００２２】
第１発明に係る空気調和機では、複数の部屋内への給気を１台の給気ユニットによって実現することができる。
【００２３】
第２発明に係る空気調和機では、仕切部材の延長線上に第３配管を配置することができる。
【００２４】
第３発明に係る空気調和機では、仕切部材を、ケーシングの長手方向にスライド移動させることができる。
【００２５】
第４発明に係る空気調和機では、仕切部材によって仕切られている第４空間と第５空間とを接続することができる。
【００２６】
第５発明に係る空気調和機では、接続部内部の空間と、第１空間および第２空間とを連通させることができる。
【００２７】
第６発明に係る空気調和機では、接続部をケーシングの上側に配置することができる。
【００２８】
第７発明に係る空気調和機では、複数の部屋内へ同時に給気することができる。
【００２９】
第８発明に係る空気調和機では、この空気調和機では、部屋内の空気を室外に排気することができる。
【００３０】
第９発明に係る空気調和機では、各室内ユニットに供給される空気の量を調節することができる。
【００３１】
第１０発明に係る空気調和機では、第３配管における圧力損失を減らすことができる。
【図面の簡単な説明】
【００３２】
【図１】本発明の第１実施形態に係る空気調和機の概略冷媒回路図。
【図２】本発明の第１実施形態に係る空気調和機の概念図。
【図３】室外機の分解斜視図。
【図４】仕切板に固定されているリアクタを示す（ａ）正面図、（ｂ）左側面図、および（ｃ）右側面図。
【図５】リアクタ固定板を仕切板の切り起こしに差し込む様子を示す図。
【図６】第３切り起こしの変形例を示す（ａ）正面図、および、（ｂ）左側面図。
【図７】第１状態における空気流路切り換え部の（ａ）平面図、（ｂ）給気時の空気の流れを示す断面図（図７（ａ）の VII−VII 断面に相当）、および、（ｃ）排気時の空気の流れを示す断面図（図７（ａ）の VII−VII 断面に相当）。
【図８】第２状態における空気流路切り換え部の（ａ）平面図、（ｂ）給気時の空気の流れを示す断面図（図８（ａ）の VIII−VIII 断面に相当）、および、（ｃ）排気時の空気の流れを示す断面図（図８（ａ）の VIII−VIII 断面に相当）。
【図９】第３状態における空気流路切り換え部の（ａ）平面図、（ｂ）給気時の空気の流れを示す断面図（図９（ａ）の IX−IX 断面に相当）、および、（ｃ）排気時の空気の流れを示す断面図（図９（ａ）の IX−IX 断面に相当）。
【図１０】本発明の第１実施形態に係る空気調和機の備える制御部の制御ブロック図。
【図１１】本発明の第２実施形態に係る空気調和機の概略冷媒回路図。
【図１２】本発明の第２実施形態に係る空気調和機の概念図。
【図１３】第１状態における空気流路切り換え部の（ａ）平面図、（ｂ）給気時の空気の流れを示す断面図（図１３（ａ）の XIII−XIII 断面に相当）、および、（ｃ）排気時の空気の流れを示す断面図（図１３（ａ）の XIII−XIII 断面に相当）。
【図１４】第２状態における空気流路切り換え部の（ａ）平面図、（ｂ）給気時の空気の流れを示す断面図（図１４（ａ）の XIV−XIV 断面に相当）、および、（ｃ）排気時の空気の流れを示す断面図（図１４（ａ）の XIV−XIV 断面に相当）。
【図１５】第３状態における空気流路切り換え部の（ａ）平面図、（ｂ）給気時の空気の流れを示す断面図（図１５（ａ）の XV−XV 断面に相当）、および、（ｃ）排気時の空気の流れを示す断面図（図１５（ａ）の XV−XV 断面に相当）。
【図１６】本発明の第２実施形態に係る空気調和機の備える制御部の制御ブロック図。
【発明を実施するための形態】
【００３３】
−第１実施形態−
＜空気調和機の構成＞
本発明の第１実施形態に係る空気調和機１について説明する。この空気調和機１は、図１に示すように、１台の室外機３と、２台の室内機２ａ，２ｂとが冷媒配管によって並列に接続されているマルチタイプの空気調和機である。また、この空気調和機１は、冷房運転および暖房運転を含む通常運転、加湿運転、給気運転および排気運転等の運転を行うことができる。室外機３は、室外熱交換器２４や室外ファン２９などを内部に収容する室外空調ユニット５と、加湿ユニット４とを備えている。室内機２ａ，２ｂの内部には室内熱交換器１１ａ，１１ｂが収容されている。また、加湿ユニット４と室内機２ａ，２ｂとの間には、加湿ユニット４の内部空間と室内機２ａ，２ｂの内部空間と連通させることが可能な吸排気ホース６ａ，６ｂが設けられている。なお、吸排気ホース６ａ，６ｂは、室外に配置される室外ダクト８ａ，８ｂと、屋内に配置される室内ダクト９ａ，９ｂとから構成されている。
【００３４】
＜室内機の構成＞
第１室内機２ａは、図２に示すように、第１部屋１ａ内に配置されており、第１部屋１ａの壁面等に設置される壁掛け型の室内機である。また、第２室内機２ｂは、第２部屋１ｂ内に配置されており、第１室内機２ａと同様に第２部屋１ｂ内の壁面等に設置される壁掛け型の室内機である。また、第１室内機２ａおよび第２室内機２ｂは、図１に示すように、冷媒配管を介して室外機３に接続されている。
【００３５】
次に、第１室内機２ａの構成について説明する。なお、第１室内機２ａと第２室内機２ｂとは、同様の構成であるため、ここでは、第１室内機２ａの構成のみを説明する。
【００３６】
第１室内機２ａ内には、図１に示すように、第１室内ファン１２ａおよび上述の第１室内熱交換器１１ａ等が収容されている。
【００３７】
第１室内熱交換器１１ａは、長手方向両端で複数回折り返されてなる伝熱管と、伝熱管から挿通される複数のフィンとからなり、接触する空気との間で熱交換を行う。
【００３８】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機２ａ内に吸い込ませるとともに、第１室内熱交換器１１ａとの間で熱交換を行った後の空気を第１部屋１ａ内に吹き出させる。
【００３９】
また、第１室内機２ａ内には、第１吸排気ホース６ａの一部である第１室内ダクト９ａが配置されている。第１室内ダクト９ａには開口が設けられており、この開口は第１室内熱交換器１１ａの表面と対向する位置に配置されている。具体的な開口の位置とは、第１室内ファン１２ａが回転し空気流が生成されている状態で、第１室内機２ａの上部に設けられている空気取込口の下流側であり、かつ、第１室内熱交換器１１ａの上流側である。
【００４０】
＜室外機の構成＞
室外機３は、図１および図２に示すように、下部の室外空調ユニット５と、上部の加湿ユニット４とから構成されている。このため、この室外機３では、室外空調ユニット５と加湿ユニット４との電源を一元化することができる。
【００４１】
室外空調ユニット５は、図３に示すように、室外機ケーシング４３を有している。また、室外機ケーシング４３内には、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとが収容されている。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００４２】
また、室外空調ユニット５内は、図３に示すように、仕切板４４によって、室外ファン２９の配設されている送風機室と、圧縮機２１が配設されている機械室とに区画されている。さらに、室外空調ユニット５内には、リアクタ５０が収容されており、リアクタ５０は仕切板４４の上方に固定されている。また、仕切板４４には、図４および図５に示すように、リアクタ固定板４５を固定するための、切り起こし４４ａ，４４ｂ，４４ｃと、ダボ４４ｄと、ネジ穴４４ｅが設けられている。切り起こし４４ａ，４４ｂ，４４ｃは、送風機室側から機械室側に突出するように仕切板４４に３つ（第１切り起こし４４ａ、第２切り起こし４４ｂおよび第３切り起こし４４ｃ）設けられている。第１切り起こし４４ａおよび第２切り起こし４４ｂは、略三角形状の切り起こしであり、袋状に設けられている。また、第１切り起こし４４ａおよび第２切り起こし４４ｂは、仕切板４４を機械室側から正面視した場合、リアクタ固定板４５の右側上下端部と一致するようにそれぞれ設けられている。第３切り起こし４４ｃは、仕切板４４の短手方向に沿って形成された切り起こしであり、リアクタ固定板４５の左側下端部にと一致するように設けられている。また、ネジ穴４４ｅは、図５に示すように、リアクタ固定板４５の左側上端部と一致するように設けられた孔である。さらに、ダボ４４ｄは、ネジ穴４４ｅ近傍に凸設されている。また、リアクタ固定板４５には、ネジ穴４４ｅと一致する位置に孔４５ａが設けられており、ダボ４４ｄと一致する位置に凹部４５ｂが設けられている。
【００４３】
このような構成によって、リアクタ５０の固定作業は、取り付け作業者が、リアクタ固定板４５を、仕切板４４の切り起こし４４ａ，４４ｂ，４４ｃに図５の矢印Ａ３方向に差し込み、リアクタ固定板４５に設けられている孔４５ａと仕切板４４に設けられているネジ穴４４ｅとを貫通するようにネジ４６によってネジ止めすることによって行われる。このため、リアクタ５０は、右側上下端部および左側下端部が切り起こし４４ａ，４４ｂ，４４ｃによって支持され、右側上端部がネジ４６によって固定される。さらに、リアクタ５０の右側上下端部は、袋状の切り起こし４４ａ，４４ｂ，４４ｃによって支持されている。このため、例えば、袋状に設けられていない切り起こしによって支持されている場合と比較して、仕切板４４により強く固定されていることになる。これによって、リアクタ５０が仕切板４４から落下しにくくすることができる。また、ダボ４４ｄが設けられていることによって、切り起こし４４ａ，４４ｂ，４４ｃにリアクタ固定板４５を差し込む作業を行う際に必要である隙間によって起こる騒音を発生しにくくすることができる。
【００４４】
なお、図６に示すように、第３切り起こし１４４ｃは、その先端が仕切板１４４の長手方向に沿って延びるような形状をしていてもよい。さらに、リアクタ固定板４５を第３切り起こし１４４ｃに差し込む際に必要となる隙間を、固定作業の効率が低下しない程度に設けることで、固定作業の作業性を悪化させることなく、仕切板４４へのリアクタ５０の固定をより確実に行うことができる。
【００４５】
また、加湿ユニット４は、図３に示すように、室外機３の上部に配置されており、加湿ユニットケーシング７と、加湿ユニット本体６とを備えている。加湿ユニット４は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。
【００４６】
以下、加湿ユニット４の構成について説明する。
【００４７】
＜加湿ユニットの構成＞
（１）加湿ユニットケーシング
加湿ユニットケーシング７は、図１に示すように、加湿ロータ５１、加熱装置５２、加湿ファン５４、吸排気切り換えダンパ５３、吸着用送風装置５５および空気流路切り換え部３０等を収納している。
【００４８】
加湿ユニットケーシング７の前面には、図１および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、吸気運転および加湿運転時に、室外から加湿ユニット４内に取り込まれ室内機２ａ，２ｂに送られる空気が通る開口である。また、吸排気口７ｃは、排気運転時に、室内機２ａ，２ｂから取り込まれ加湿ユニット４内から室外へと排気される空気が通る開口である。
【００４９】
（２）加湿ユニット本体
加湿ユニット本体６は、図１および図３に示すように、加湿ロータ５１、加熱装置５２、吸排気切り換えダンパ５３、加湿ファン５４、吸着用送風装置５５等を備えている。
【００５０】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００５１】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５２】
加湿ファン５４は、加湿ロータ５１の側方に配置されており、室外から取り込まれ室内機２ａ，２ｂへと送られる空気の流れを生成するラジカルファン組立体である。加湿ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送る。また、加湿ファン５４は、室内機２ａ，２ｂから取り入れた部屋１ａ，１ｂ内の空気を室外へと排出することもできる。なお、加湿ファン５４は、吸排気切り換えダンパ５３が切り換わることによって、これらの動作を切り換える。加湿ファン５４は、図１に示すように、室外から取り入れた空気を室内機２ａ，２ｂへと送る場合には、加湿ロータ５１のうちの加熱装置５２と対向する部分を通過した空気を、吸排気切り換えダンパ５３を経て吸排気ダクト５８へと送り出す。
【００５３】
吸排気ダクト５８は、図１および図２に示すように、後述する空気流路切り換え部３０を介して吸排気ホース６ａ，６ｂに接続されており、加湿ファン５４は、吸排気ダクト５８、空気流路切り換え部３０および吸排気ホース６ａ，６ｂを介して室外の空気を室内機２ａ，２ｂへと供給する。なお、吸排気ホース６ａ，６ｂを通って室内機２ａ，２ｂへ送られる空気は、上述のように室内機２ａ，２ｂ内部において室内熱交換器１１ａ，１１ｂの表面に吹き出される。
【００５４】
また、加湿ファン５４は、室内機２ａ，２ｂから取り入れた部屋１ａ，１ｂ内の空気を室外へと排出する場合には、吸排気ホース６ａ，６ｂおよび吸排気ダクト５８を通ってきた部屋１ａ，１ｂ内の空気を吸排気口７ｃから室外へと排出する。
【００５５】
吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、吸着用送風装置５５は、吸着用空気取込口７ｂから吸い込まれ、加湿ロータ５１のうちの加熱装置５２と対向しない部分を通過し、ベルマウス６２の開口を通り、吸着用空気吹き出し口７ａから室外へ排出される空気の流れを生成する。
【００５６】
吸排気切り換えダンパ５３は、吸排気ダンパと、吸排気ダンパを回転させるための吸排気ダンパ駆動用モータ５３ａ（図１０参照）とを含む、回転式の空気流路切換機構である。また、吸排気切り換えダンパ５３は、加湿ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００５７】
給気状態では、加湿ファン５４によって、加湿ユニット４側から室内機２ａ，２ｂ側に向かう空気流が生成される。例えば、吸排気切り換えダンパ５３が給気状態であり後述する空気流路切り換え部３０が第１状態である場合、加湿ファン５４から吹き出された空気は、吸排気ダクト５８および空気流路切り換え部３０を経て吸排気ホース６ａ，６ｂを通って室内機２ａ，２ｂへと供給されるようになる。これにより、給気状態では、図１に示すＡ１方向に空気が流れ、室外空気が加湿され、または、加湿されずに吸排気ホース６ａ，６ｂを通って室内機２ａ，２ｂへと供給される。
【００５８】
排気状態では、加湿ファン５４によって、室内機２ａ，２ｂ側から加湿ユニット４側に向かう空気流が生成される。例えば、吸排気切り換えダンパ５３が排気状態であり後述する空気流路切り換え部３０が第１状態である場合、室内機２ａ，２ｂから取り込まれた部屋１ａ，１ｂ内の空気は、吸排気ホース６ａ，６ｂを経て空気流路切り換え部３０および吸排気ダクト５８を通って室外へと排気されるようになる。これにより、排気状態では、図１に示すＡ２方向に空気が流れ、室内機２ａ，２ｂから吸排気ホース６ａ，６ｂ、空気流路切り換え部３０および吸排気ダクト５８を通ってきた空気が、吸排気口７ｃを経て室外へと排気される。
【００５９】
また、加湿ユニット４は、空気流路切り換え部３０を備えている。空気流路切り換え部３０は、図１、図２および図７に示すように、吸排気ダクト５８および吸排気ホース６ａ，６ｂに接続されるスライド式の空気流路切り換え手段である。また、空気流路切り換え部３０は、加湿ユニットケーシング７内に収容されている。空気流路切り換え部３０は、図７（ａ）、図８（ａ）および図９（ａ）に示すように、切り換え部ケーシング３１と、仕切部３２とを有している。切り換え部ケーシング３１は、図７、図８および図９に示すように、第１切り換え部ケーシング３３と第２切り換え部ケーシング３４とから構成されている。第１切り換え部ケーシング３３は、図７、図８および図９における上側を意味する第１上部３３ａと、第１上部３３ａの縁から立設される第１側部３３ｂと、第１上部３３ａと略同一形状の第１下部３３ｃとから形成される略直方体形状の部材である。また、第１切り換え部ケーシング３３内には、仕切部３２が収容されている。さらに、第１切り換え部ケーシング３３の第１上部３３ａには、略中央部に第１開口３５ａが設けられており、一端部に第２開口３５ｂが設けられている。また、第１切り換え部ケーシング３３の第１下部３３ｃには、略中央部に第３開口３５ｃと第４開口３５ｄとが隣接して設けられている。なお、第３開口３５ｃには第１吸排気ホース６ａが接続されており、第４開口３５ｄには第２吸排気ホース６ｂが接続されている。また、第１側部３３ｂには接続口３５ｅが設けられており、第１切り換え部ケーシング３３は、接続口３５ｅを介して吸排気ダクト５８と接続されている。
【００６０】
第２切り換え部ケーシング３４は、楕円形の第２上部３４ａと、第２上部３４ａの縁から立設される第２側部３４ｂとから構成される略楕円柱形状であり、下側が開口した箱状の形態を有している。また、図７、図８および図９に示すように、第２上部３４ａは、第１上部３３ａの面積よりも小さい面積を有する。また、第２切り換え部ケーシング３４は、第１切り換え部ケーシング３３の第１開口３５ａおよび第２開口３５ｂを覆うように、第１上部３３ａの上側に配置される。このような構成によって、切り換え部ケーシング３１では、第１切り換え部ケーシング３３内部と第２切り換え部ケーシング３４内部とが、第１開口３５ａおよび第２開口３５ｂを介して連通している。
【００６１】
仕切部３２は、第３上部３２ａと、第３側部３２ｂと、第３下部３２ｃと、内壁部３６とから構成されており、略直方体形状を有している。第３上部３２ａは、長方形状の板状部材であり、略中央部に第５開口３６ａが設けられている。なお、第５開口３６ａの面積は、後述する第６開口３６ｂの面積および切り換え部ケーシング３１に設けられている第１開口３５ａの面積よりも大きい。また、第３側部３２ｂは、第３下部３２ｃの縁から第３上部３２ａの縁まで上方に延びている。さらに、第３下部３２ｃは、第３上部３２ａの面積よりも大きな面積を有する長方形状の板状部材であり、略中央部に第６開口３６ｂが設けられている。また、第６開口３６ｂの面積は、第１切り換え部ケーシング３３に設けられている第３開口３５ｃの面積と第４開口３５ｄの面積とを合わせた面積と同等程度の大きさである。内壁部３６は、第３下部３２ｃの第６開口３６ｂの周辺部から第３上部３２ａの第５開口３６ａの周辺部まで上方に延びる略楕円柱状の部材である。なお、仕切部３２は、第５開口３６ａが第１開口３５ａと対向し、第６開口３６ｂが少なくとも第３開口３５ｃまたは第４開口３５ｄのいずれか一方の開口と対向するように、第１切り換え部ケーシング３３内に収容される。また、本実施形態では、第５開口３６ａは、第１開口３５ａと常に対向するように形成されている。
【００６２】
また、空気流路切り換え部３０は、仕切部３２が第１切り換え部ケーシング３３内をスライド移動することによって、３つの状態（第１状態、第２状態および第３状態）に切り換わることが可能である。なお、仕切部３２のスライド移動は、仕切部駆動モータ４２（図１０参照）が駆動することによって行われる。以下、第１状態、第２状態および第３状態について図７、図８および図９を用いて説明する。
【００６３】
第１状態とは、図７に示すように、第１切り換え部ケーシング３３に設けられている第３開口３５ｃおよび第４開口３５ｄと対向する位置に、仕切部３２の第６開口３６ｂが配置されている状態である。このため、内壁部３６が、上側で第１開口３５ａと連通し、下側で第３開口３５ｃおよび第４開口３５ｄと連通することとで、第２切り換え部ケーシング３４と第１吸排気ホース６ａおよび第２吸排気ホース６ｂとを結ぶ。したがって、吸排気ダクト５８と、第１吸排気ホース６ａおよび第２吸排気ホース６ｂとが連通している状態になる。これによって、給気状態の場合には、図７（ｂ）に示すように、吸排気ダクト５８を通ってきた空気が、第１切り換え部ケーシング３３内部および第２切り換え部ケーシング３４内部を介して、第３開口３５ｃから第１吸排気ホース６ａに、第４開口３５ｄから第２吸排気ホース６ｂに流れる。また、排気状態の場合には、図７（ｃ）に示すように、第１吸排気ホース６ａを通ってきた空気は第３開口３５ｃを介して、第２吸排気ホース６ｂを通ってきた空気は第４開口３５ｄを介して、第２切り換え部ケーシング３４内部および第１切り換え部ケーシング３３内部を介して、吸排気ダクト５８へと流れる。
【００６４】
第２状態とは、図８に示すように、第１切り換え部ケーシング３３に設けられている第３開口３５ｃと対向する位置に、仕切部３２の第６開口３６ｂが配置されている状態となる。また、第４開口３５ｄは、仕切部３２の第３下部３２ｃによって遮蔽された状態となる。このため、内壁部３６が、上側で第１開口３５ａと連通し、下側で第３開口３５ｃと連通することで、第２切り換え部ケーシング３４内部と第１吸排気ホース６ａとを結ぶ。したがって、吸排気ダクト５８と、第１吸排気ホース６ａとが連通している状態となる。これによって、給気状態の場合には、図８（ｂ）に示すように、吸排気ダクト５８を通ってきた空気が、第１切り換え部ケーシング３３内部および第２切り換え部ケーシング３４内部を介して、第３開口３５ｃから第１吸排気ホース６ａに供給される。また、排気状態の場合には、図８（ｃ）に示すように、第１吸排気ホース６ａを通ってきた空気は、第３開口３５ｃを介して第２切り換え部ケーシング３４内部および第１切り換え部ケーシング３３内部を通って、吸排気ダクト５８へと流れる。
【００６５】
第３状態とは、図９に示すように、第１切り換え部ケーシング３３に設けられている第４開口３５ｄと対向する位置に、仕切部３２の第６開口３６ｂが配置されている状態である。また、第３開口３５ｃは、仕切部３２の第３下部３２ｃによって遮蔽された状態となる。このため、内壁部３６が、上側で第１開口３５ａと連通し、下側で第４開口３５ｄと連通することで、第２切り換え部ケーシング３４内部と第２吸排気ホース６ｂとを結ぶ。したがって、吸排気ダクト５８と、第２吸排気ホース６ｂとが連通している状態になる。これによって、給気状態の場合には、図９（ｂ）に示すように、吸排気ダクト５８からの空気が、第１切り換え部ケーシング３３内部および第２切り換え部ケーシング３４内部を介して、第４開口３５ｄから第２吸排気ホース６ｂに空気が供給される。また、排気状態の場合には、図９（ｃ）に示すように、第２吸排気ホース６ｂを通ってきた空気は、第４開口３５ｄを介して、第２切り換え部ケーシング３４内部および第１切り換え部ケーシング３３内部を通って、吸排気ダクト５８へと流れる。
【００６６】
また、仕切部駆動モータ４２（図１０参照）が仕切部３２の駆動を調整することによって、開口の開放状態を調節することができる。このため、例えば、給気状態の場合には、吸排気ホース６ａ，６ｂを流れる空気量を調整することができる。
【００６７】
＜制御部＞
この制御部６０は、図１０に示すように、室内機２ａ，２ｂ、室外空調ユニット５および加湿ユニット４の各種機器と接続されており、リモコン８０等を介した空調対象者からの運転指令に基づいて通常運転、加湿運転、給気運転および排気運転等の各運転モードに応じて各種機器の運転制御を行うことができる。
【００６８】
以下、各空調運転時の空気調和機１の運転動作について説明する。
【００６９】
＜空気調和機の運転動作＞
（１）通常運転
制御部６０は、リモートコントローラ（以下、リモコンという）８０から通常運転の指示を受けた場合、通常運転が行われるように、空気調和機１の運転制御を行う。
【００７０】
通常運転時には、圧縮機２１が駆動されるとともに、室外膨張弁２５ａ，２５ｂが所定の開度に絞られることによって、冷媒が冷媒回路を循環して室内熱交換器１１ａ，１１ｂが蒸発器または凝縮器として機能する。また、室内ファン１２ａ，１２ｂが駆動されることによって、空気取込口から室内機２ａ，２ｂ内に吸い込まれ、室内熱交換器１１ａ，１１ｂを通って、空気吹き出し口から部屋内に吹き出される空気の流れが生成される。これによって、部屋１ａ，１ｂ内の冷房または暖房を行うことができる。
【００７１】
（２）加湿運転
制御部６０は、リモコン８０からの加湿指令を受けた場合に、加湿運転が行われるように空気調和機１の運転制御を行う。なお、この加湿運転は、暖房運転とともに行われることも多い。また、第１室内機２ａおよび第２室内機２ｂの両方で加湿運転が行われる場合、制御部６０は、空気流路切り換え部３０が第１状態となるように、仕切部駆動モータ４２を駆動させる。また、第１室内機２ａのみで加湿運転が行われる場合、制御部６０は、空気流路切り換え部３０が第２状態となるように、仕切部駆動モータ４２を駆動させる。さらに、第２室内機２ｂのみで加湿運転が行われる場合、制御部６０は、空気流路切り換え部３０が第３状態となるように、仕切部駆動モータ４２を駆動させる。
【００７２】
以下、第１室内機２ａおよび第２室内機２ｂの両方で加湿運転が行われる場合を例として説明する。
【００７３】
制御部６０は、吸排気切り換えダンパ５３が給気状態に、空気流路切り換え部３０が第１状態に切り換わるように制御し、加湿ファン５４を回転させるモータおよび吸着用ファンモータ５９を駆動させる。また、制御部６０は、加熱装置５２が通電されるように制御する。
【００７４】
吸着用ファンモータ５９が駆動されると、室外の空気が加湿ユニット４内に取り入れられ、室外へ排出される。すなわち、室外からの空気は、吸着用空気取込口７ｂから加湿ユニットケーシング７内に取り入れられる。加湿ユニットケーシング７内に入ってきた空気は、加湿ロータ５１のうちの加熱装置５２に対向しない部分を通過する。このとき、加湿ロータ５１は、加湿ロータ５１の吸着位置を通る空気から水分を吸着する。加湿ロータ５１を通過した空気は、下方に折り返され、吸着用空気吹き出し口７ａから室外機の外側へと排出される。
【００７５】
一方、加湿ファン５４が駆動されると、室外の空気が加湿ユニット４内に取り込まれ、吸排気ホース６ａ，６ｂ、室内機２ａ，２ｂを通って、部屋１ａ，１ｂ内へ供給される。すなわち、室外の空気は、吸排気口７ｃから加湿ユニットケーシング７内に取り込まれ、加湿ロータ５１を下方から上方に向けて通過し、加熱装置５２において加熱された後に、加湿ロータ５１を上方から下方に通過する。このとき、加湿ロータ５１に吸着されていた水分が励起され、加湿ロータ５１から空気中に離脱していく。加湿ロータ５１を通過した空気は、加湿ファン５４、吸排気切り換えダンパ５３および空気流路切り換え部３０を通り、吸排気ホース６ａ，６ｂに送られる。吸排気ホース６ａ，６ｂに送られた空気は、室内熱交換器１１ａ，１１ｂを通過して、空気吹き出し口から部屋１ａ，１ｂ内へと吹き出される。この室内機２ａ，２ｂへと送られた空気は、加湿ロータ５１に吸着されていた水分を含むようになっており、これにより、無給水での部屋内の加湿が可能になっている。
【００７６】
この加湿運転では、吸着ファン６１の回転によって外部から加湿ユニット４内に導入された空気中に含まれる水分を加湿ロータ５１に吸着させるとともに、加熱装置５２により加熱された空気を加湿ファン５４の回転によって加湿ロータ５１に通すことで、加湿ロータ５１から離脱した水分を含む空気を、吸排気ダクト５８、空気流路切り換え部３０および吸排気ホース６ａ，６ｂを介して室内機２ａ，２ｂへと供給している。
【００７７】
（３）給気運転
制御部６０は、リモコン８０から給気運転の指示を受けた場合、給気運転が行われるように空気調和機１の運転制御を行う。
【００７８】
給気運転が行われる場合には、吸着用ファンモータ５９が作動されず、また、加熱装置５２が通電されずに、上述の加湿運転と同様の動作が行われる。これにより、室外から取り入れられた空気が、加湿されずに上述と同様の経路を通って室内機２ａ，２ｂへと送られる。
【００７９】
（４）排気運転
制御部６０は、リモコン８０からの排気運転の指示を受けた場合に、排気運転が行われるように空気調和機１の運転制御を行う。なお、第１室内機２ａよび第２室内機２ｂの両方で排気運転が行われる場合、制御部６０は、空気流路切り換え部３０が第１状態となるように、仕切部駆動モータ４２を駆動させる。また、第１室内機２ａのみで排気運転が行われる場合、制御部６０は、空気流路切り換え部３０が第２状態となるように、仕切部駆動モータ４２を駆動させる。さらに、第２室内機２ｂのみで排気運転が行われる場合、制御部６０は、空気流路切り換え部３０が第３状態となるように、仕切部駆動モータ４２を駆動させる。
【００８０】
以下、第１室内機２ａおよび第２室内機２ｂの両方で排気運転が行われる場合を例として説明する。
【００８１】
制御部６０は、吸排気切り換えダンパ５３が排気状態に、空気流路切り換え部３０が第１状態に切り換わるように制御し、加湿ファン５４を回転させるモータを駆動させる。なお、排気運転時には、吸着用ファンモータ５９は駆動されず、加熱装置５２は通電されない。
【００８２】
加湿ファン５４が駆動されると、室内機２ａ，２ｂから取り込まれた部屋１ａ，１ｂ内の空気は、吸排気ホース６ａ，６ｂを経て加湿ユニット４の内部に取り込まれ、上述の加湿運転時とは逆方向に流れることにより室外へ排出される。すなわち、吸排気ダクト５８から加湿ユニット本体６の内部に取り込まれた空気は、空気流路切り換え部３０、吸排気切り換えダンパ５３、加湿ファン５４を通り、加湿ロータ５１を下方から上方に通過し、吸排気口７ｃから室外へと排出される。
【００８３】
なお、本実施形態では、２つの部屋に対して、給気運転または排気運転が行われているが、２つ以上の複数の部屋に給気運転および排気運転が行われるように、空気流路切り換え部を構成してもよい。
【００８４】
＜特徴＞
（１）
従来より、室外の空気を部屋内に供給する給気ユニットを備える空気調和機がある。例えば、特開２００６−１０３０７号公報に開示されている空気調和機では、加湿機能を有する給気ユニットを備えている。この空気調和機の備える給気ユニットは、室外の空気を加湿し、加湿した室外の空気を部屋内に供給することができる。これによって、この空気調和機では、部屋内を加湿することができる。
【００８５】
しかしながら、この空気調和機は、１つの部屋に対して１台の給気ユニットが配備されるように構成されている。このため、複数の部屋内へ室外の空気を供給する場合、複数台の給気ユニットを配備しなければならないことになる。
【００８６】
そこで、上記実施形態では、加湿ユニット４を有する１台の室外機３を備えている。加湿ユニット４は、吸排気ホース６ａ，６ｂを介して、室外から取り込まれた空気を室内機２ａ，２ｂに供給することができる。
【００８７】
これによって、部屋１ａ，１ｂ内への給気を１台の室外機３によって実現することができている。
【００８８】
また、室内機に対応する個数の加湿ユニットが不要であるため、製造コストや設置スペースを抑えることができている。
【００８９】
（２）
上記実施形態では、空気流路切り換え部３０を備えている。空気流路切り換え部３０は、仕切部３２が第１切り換え部ケーシング３３内をスライド移動することによって、第１状態、第２状態および第３状態になることが可能である。第１状態では、第３開口３５ｃおよび第４開口３５ｄと対向する位置に第６開口３６ｂが配置されている。また、第２状態では、第３開口３５ｃと対向する位置に第６開口３６ｂが配置され、第４開口３５ｄが仕切部３２の第３下部３２ｃによって遮蔽されている。さらに、第３状態では、第４開口３５ｄと対向する位置に第６開口３６ｂが配置され、第３開口３５ｃは、仕切部３２の第３下部３２ｃによって遮蔽されている。このため、第１状態では、吸排気ダクト５８と、第１吸排気ホース６ａおよび第２吸排気ホース６ｂとが連通している状態になる。また、第２状態では、吸排気ダクト５８と、第１吸排気ホース６ａとが連通している状態となる。さらに、第３状態では、吸排気ダクト５８と、第２吸排気ホース６ｂとが連通している状態になる。
【００９０】
これによって、吸排気ダクト５８と、第１吸排気ホース６ａまたは第２吸排気ホース６ｂの少なくともいずれか一方との連通状態を切り換えることができている。
【００９１】
また、第１状態では、吸排気ダクト５８と、第１吸排気ホース６ａおよび第２吸排気ホース６ｂとが連通している状態になるため、部屋１ａ，１ｂ内へ同時に給気することができている。
【００９２】
さらに、第１室内機２ａ内には第１室内熱交換器１１ａが収容されており、第２室内機２ｂ内には第２室内熱交換器１１ｂが収容されている。このため、第１吸排気ホース６ａまたは第２吸排気ホース６ｂを介してきた室外の空気が、それぞれの熱交換器１１ａ，１１ｂによって熱交換され、それぞれの部屋１ａ，１ｂ内へ給気される。したがって、例えば、第１室内機２ａの設定温度と第２室内機２ｂの設定温度とが異なっている場合でも、それぞれの室内機２ａ，２ｂにおいて設定されている設定温度に基づいて、それぞれの部屋内１ａ，１ｂから取り込まれた空気と室外の空気とから調和空気を生成し、それぞれの部屋１ａ，１ｂ内へ供給することができる。
【００９３】
これによって、室外の空気を給気しつつ、それぞれの室内機２ａ，２ｂの設定条件に基づいた空気調和を行うことができる。
【００９４】
（３）
上記実施形態では、加湿ユニット４は、吸排気ホース６ａ，６ｂを介して、室内機２ａ，２ｂから取り込まれた空気を室外へと排気することができる。このため、部屋１ａ，１ｂ内の空気を室外へと排気することができる。
【００９５】
（４）
上記実施形態では、仕切部駆動モータ４２が仕切部３２の駆動を調整することによって、開口の開放状態を調節することができる。このため、例えば、給気状態の場合には、吸排気ホース６ａ，６ｂを流れる空気量を調整することができる。
【００９６】
これによって、部屋１ａ，１ｂ内に供給される空気量を調整することができる。
【００９７】
（５）
上記実施形態では、空気流路切り換え部３０は、加湿ユニットケーシング７内に収容されている。これによって、空気流路切り換え部３０を加湿ユニット４とは別に設置する作業をなくすことができている。
【００９８】
（６）
上記実施形態では、加湿ユニット４は、吸排気ホース６ａ，６ｂを介して、室外から取り込まれた空気を加湿して室内機２ａ，２ｂへと供給することができる。
【００９９】
これによって、部屋１ａ，１ｂ内に加湿空気を供給することができている。
【０１００】
＜変形例＞
上記実施形態では、室外空調ユニット５および加湿ユニット４の電源を一元化している。そこで、上記実施形態に係る空気調和機において、室外空調ユニットおよび加湿ユニットに供給される電流量を監視できるように、制御部に電流検出回路を備えさせる。そして、室外空調ユニットおよび加湿ユニットに供給される最大電流量を、例えば、家庭用のブレーカー容量未満となるように設定することによって、室外空調ユニットおよび加湿ユニットに供給される電流量を調整することができる。
【０１０１】
これによって、家庭用のブレーカー容量以下に電流量を抑えることができる。
【０１０２】
−第２実施形態−
＜空気調和機の構成＞
本発明の第２実施形態に係る空気調和機１００について説明する。なお、この空気調和機１００において、室内機の構成、室外空調ユニットの構成、加湿ユニット本体の構成は、第１実施形態と同様の構成であるため、説明を省略する。
【０１０３】
この空気調和機１００は、図１１に示すように、１台の室外機１０３と、２台の室内機１０２ａ，１０２ｂとが冷媒配管によって並列に接続されているマルチタイプの空気調和機である。また、加湿ユニット１０４と室内機１０２ａ，１０２ｂとの間には、加湿ユニット１０４の内部空間と室内機１０２ａ，１０２ｂの内部空間と連通させることが可能な吸排気ホース１０６ａ，１０６ｂが設けられている。なお、吸排気ホース１０６ａ，１０６ｂは、室外に配置される室外ダクト１０８ａ，１０８ｂと、屋内に配置される室内ダクト１０９ａ，１０９ｂとから構成されている。
【０１０４】
＜加湿ユニットケーシング＞
加湿ユニットケーシング１０７は、図１１に示すように、加湿ロータ１５１、加熱装置１５２、加湿ファン１５４、吸排気切り換えダンパ１５３および吸着用送風装置１５５等を収納している。
【０１０５】
加湿ユニットケーシング１０７の前面には、複数のスリット状の開口からなる吸着用空気吹き出し口１０７ａが設けられている。また、加湿ユニットケーシング１０７の背面には、吸着用空気取込口１０７ｂおよび吸排気口１０７ｃが設けられている。吸着用空気取込口１０７ｂは、加湿ロータ１５１に水分を吸着させるために室外から取り込まれる空気が通る開口である。吸排気口１０７ｃは、吸気運転および加湿運転時に、室外から加湿ユニット１０４内に取り込まれ室内機１０２ａ，１０２ｂに送られる空気が通る開口である。また、吸排気口１０７ｃは、排気運転時に、室内機１０２ａ，１０２ｂから取り込まれ加湿ユニット１０４内から室外へと排気される空気が通る開口である。また、加湿ユニットケーシング１０７には、ダクト接続口が設けられており、吸排気ダクト１５８は、ダクト接続口を介して加湿ユニットケーシング１０７の内側から加湿ユニットケーシング１０７の外側に延びる。なお、吸排気ダクト１５８に適用されている配管の管径は、吸排気ホース１０６ａ，１０６ｂに適用されている配管の管径よりも大きい。
【０１０６】
＜空気流路切り換え部の構成＞
空気流路切り換え部１３０は、図１１、図１２および図１３に示すように、吸排気ダクト１５８および吸排気ホース１０６ａ，１０６ｂに接続される回転式の空気流路切り換え手段である。また、空気流路切り換え部１３０は、図１１および図１２に示すように、加湿ユニットケーシング１０７の外側に配置されている。
【０１０７】
空気流路切り換え部１３０は、図１３、図１４および図１５に示すように、切り換え部ケーシング１３１と、ダンパ１３２と、ダンパ駆動モータ１４２（図１６参照）とを有している。切り換え部ケーシング１３１は、第１切り換え部ケーシング１３３と第２切り換え部ケーシング１３４とから構成されている。第１切り換え部ケーシング１３３は、図１３（ｂ），（ｃ）、図１４（ｂ），（ｃ）および図１５（ｂ），（ｃ）に示すように、略円筒形状を有しており、上側および下側が開口している。なお、本実施形態における「上下」は、図１３（ｂ），（ｃ）、図１４（ｂ），（ｃ）および図１５（ｂ），（ｃ）における上下を意味している。また、第２切り換え部ケーシング１３４は、略円形状の部材であり、その面積は第１切り換え部ケーシング１３３の下側の開口の面積と略同一である。また、第２切り換え部ケーシング１３４には、第１開口１３５ａと第２開口１３５ｂとが設けられている。なお、第１開口１３５ａの面積と第２開口１３５ｂの面積とは同一である。また、第１開口１３５ａおよび第２開口１３５ｂの面積は、第１切り換え部ケーシング１３３の上側の開口の面積よりも小さい。さらに、第１開口１３５ａの周辺部から下方に第１接続部が延びており、第２開口１３５ｂの周辺部から下方に第２接続部が延びている。また、切り換え部ケーシング１３１は、上側の開口を介して吸排気ダクト１５８と接続されており、下側の第１開口１３５ａを介して第１吸排気ホース１０６ａと接続されており、第２開口１３５ｂを介して第２吸排気ホース１０６ｂと接続されている。
【０１０８】
ダンパ１３２は、略半円形状の板状部材であり、第２切り換え部ケーシング１３４に回転可能に取り付けられている。なお、ダンパ１３２の回転は、ダンパ駆動モータ１４２（図１６参照）が駆動することによって行われる。
【０１０９】
また、空気流路切り換え部１３０は、ダンパ１３２が回転することによって、３つの状態（第１状態、第２状態および第３状態）に切り換わることが可能である。以下、第１状態、第２状態および第３状態について図１３、図１４および図１５を用いて説明する。
【０１１０】
第１状態とは、図１３（ａ）に示すように、第２切り換え部ケーシング１３４に設けられている第１開口１３５ａおよび第２開口１３５ｂを開放するように、ダンパ１３２が配置されている状態である。このため、切り換え部ケーシング１３１は、上側で吸排気ダクト１５８と結ばれており、下側で第１開口１３５ａおよび第２開口１３５ｂと連通することで第２切り換え部ケーシング１３４と第１吸排気ホース１０６ａおよび第２吸排気ホース１０６ｂとが結ばれている。したがって、吸排気ダクト１５８と、第１吸排気ホース１０６ａおよび第２吸排気ホース１０６ｂとが連通している状態になる。これによって、給気状態の場合には、図１３（ｂ）に示すように、吸排気ダクト１５８を通ってきた空気が、切り換え部ケーシング１３１内部を介して、第１開口１３５ａから第１吸排気ホース１０６ａに、第２開口１３５ｂから第２吸排気ホース１０６ｂに流れる。また、排気状態の場合には、図１３（ｃ）に示すように、第１吸排気ホース１０６ａを通ってきた空気は第１開口１３５ａを介して、第２吸排気ホース１０６ｂを通ってきた空気は第２開口１３５ｂを介して、切り換え部ケーシング１３１内部を通って、吸排気ダクト１５８へと流れる。
【０１１１】
第２状態とは、図１４（ａ）に示すように、第２切り換え部ケーシング１３４に設けられている第２開口１３５ｂを覆うように、ダンパ１３２が配置されている状態である。また、第１開口１３５ａは、開放された状態となる。このため、切り換え部ケーシング１３１は、上側で吸排気ダクト１５８と結ばれており、下側で第１開口１３５ａと連通することで第２切り換え部ケーシング１３４と第１吸排気ホース１０６ａとが結ばれている。したがって、吸排気ダクト１５８と、第１吸排気ホース１０６ａとが連通している状態になる。これによって、給気状態の場合には、図１４（ｂ）に示すように、吸排気ダクト１５８を通ってきた空気が、切り換え部ケーシング１３１内部を介して、第１開口１３５ａから第１吸排気ホース１０６ａに流れる。また、排気状態の場合には、図１４（ｃ）に示すように、第１吸排気ホース１０６ａを通ってきた空気は第１開口１３５ａを介して、切り換え部ケーシング１３１内部を通って、吸排気ダクト１５８へと流れる。
【０１１２】
第３状態とは、図１５（ａ）に示すように、第２切り換え部ケーシング１３４に設けられている第１開口１３５ａを覆うように、ダンパ１３２が配置されている状態である。また、第２開口１３５ｂは、開放された状態となる。このため、切り換え部ケーシング１３１は、上側で吸排気ダクト１５８と結ばれており、下側で第２開口１３５ｂと連通することで第２切り換え部ケーシング１３４と第２吸排気ホース１０６ｂとが結ばれている。したがって、吸排気ダクト１５８と、第２吸排気ホース１０６ｂとが連通している状態になる。これによって、給気状態の場合には、図１５（ｂ）に示すように、吸排気ダクト１５８を通ってきた空気が、切り換え部ケーシング１３１内部を介して、第２開口１３５ｂから第２吸排気ホース１０６ｂに流れる。また、排気状態の場合には、図１５（ｃ）に示すように、第２吸排気ホース１０６ｂを通ってきた空気は第２開口１３５ｂを介して、切り換え部ケーシング１３１内部を通って、吸排気ダクト１５８へと流れる。
【０１１３】
また、ダンパ駆動モータ１４２（図１６参照）がダンパ１３２の駆動を調整することによって、開口１３５ａ，１３５ｂの開放状態を調節することができる。このため、例えば、給気状態の場合には、吸排気ホース１０６ａ，１０６ｂを流れる空気量を調整することができる。
【０１１４】
＜制御部＞
この制御部１６０は、図１６に示すように、室内機１０２ａ，１０２ｂ、室外空調ユニット１０５および加湿ユニット１０４の各種機器と接続されており、リモコン１８０等を介した空調対象者からの運転指令に基づいて通常運転、加湿運転、給気運転および排気運転等の各運転モードに応じて各種機器の運転制御を行うことができる。
【０１１５】
以下、各空調運転時の空気調和機１００の運転動作について説明する。
【０１１６】
＜空気調和機の運転動作＞
（１）通常運転
制御部１６０は、リモコン１８０から通常運転の指示を受けた場合、通常運転が行われるように、空気調和機１００の運転制御を行う。
【０１１７】
通常運転時には、圧縮機１２１が駆動されるとともに、室外膨張弁１２５ａ，１２５ｂが所定の開度に絞られることによって、冷媒が冷媒回路を循環して室内熱交換器１１１ａ，１１１ｂが蒸発器または凝縮器として機能する。また、室内ファン１１２ａ，１１２ｂが駆動されることによって、空気取込口から室内機１０２ａ，１０２ｂ内に吸い込まれ、室内熱交換器１１１ａ，１１１ｂを通って、空気吹き出し口から部屋内に吹き出される空気の流れが生成される。これによって、部屋１０１ａ，１０１ｂ内の冷房または暖房を行うことができる。
【０１１８】
（２）加湿運転
制御部１６０は、リモコン１８０からの加湿指令を受けた場合に、加湿運転が行われるように空気調和機１００の運転制御を行う。なお、この加湿運転は、暖房運転とともに行われることも多い。また、第１室内機１０２ａおよび第２室内機１０２ｂの両方で加湿運転が行われる場合、制御部１６０は、空気流路切り換え部１３０が第１状態となるように、ダンパ駆動モータ１４２を駆動させる。また、第１室内機１０２ａのみで加湿運転が行われる場合、制御部１６０は、空気流路切り換え部１３０が第２状態となるように、ダンパ駆動モータ１４２を駆動させる。さらに、第２室内機１０２ｂのみで加湿運転が行われる場合、制御部１６０は、空気流路切り換え部１３０が第３状態となるように、ダンパ駆動モータ１４２を駆動させる。
【０１１９】
以下、第１室内機１０２ａおよび第２室内機１０２ｂの両方で加湿運転が行われる場合を例として説明する。
【０１２０】
制御部１６０は、吸排気切り換えダンパ１５３が給気状態に、空気流路切り換え部１３０が第１状態に切り換わるように制御し、加湿ファン１５４を回転させるモータおよび吸着用ファンモータ１５９を駆動させる。また、制御部１６０は、加熱装置１５２が通電されるように制御する。
【０１２１】
吸着用ファンモータ１５９が駆動されると、室外の空気が加湿ユニット１０４内に取り入れられ、室外へ排出される。すなわち、室外からの空気は、吸着用空気取込口１０７ｂから加湿ユニットケーシング１０７内に取り入れられる。加湿ユニットケーシング１０７内に入ってきた空気は、加湿ロータ１５１のうちの加熱装置１５２に対向しない部分を通過する。このとき、加湿ロータ１５１は、加湿ロータ１５１の吸着位置を通る空気から水分を吸着する。加湿ロータ１５１を通過した空気は、下方に折り返され、吸着用空気吹き出し口１０７ａから室外機の外側へと排出される。
【０１２２】
一方、加湿ファン１５４が駆動されると、室外の空気が加湿ユニット１０４内に取り込まれ、吸排気ホース１０６ａ，１０６ｂ、室内機１０２ａ，１０２ｂを通って、部屋１０１ａ，１０１ｂ内へ供給される。すなわち、室外の空気は、吸排気口１０７ｃから加湿ユニットケーシング１０７内に取り込まれ、加湿ロータ１５１を下方から上方に向けて通過し、加熱装置１５２において加熱された後に、加湿ロータ１５１を上方から下方に通過する。このとき、加湿ロータ１５１に吸着されていた水分が励起され、加湿ロータ１５１から空気中に離脱していく。加湿ロータ１５１を通過した空気は、加湿ファン１５４、吸排気切り換えダンパ１５３および空気流路切り換え部１３０を通り、吸排気ホース１０６ａ，１０６ｂに送られる。吸排気ホース１０６ａ，１０６ｂに送られた空気は、室内熱交換器１１１ａ，１１１ｂを通過して、空気吹き出し口から部屋１０１ａ，１０１ｂ内へと吹き出される。この室内機１０２ａ，１０２ｂへと送られた空気は、加湿ロータ１５１に吸着されていた水分を含むようになっており、これにより、無給水での部屋内の加湿が可能になっている。
【０１２３】
この加湿運転では、吸着ファン１６１の回転によって外部から加湿ユニット１０４内に導入された空気中に含まれる水分を加湿ロータ１５１に吸着させるとともに、加熱装置１５２により加熱された空気を加湿ファン１５４の回転によって加湿ロータ１５１に通すことで、加湿ロータ１５１から離脱した水分を含む空気を、吸排気ダクト１５８、空気流路切り換え部１３０および吸排気ホース１０６ａ，１０６ｂを介して室内機１０２ａ，１０２ｂへと供給している。
【０１２４】
（３）給気運転
制御部１６０は、リモコン１８０から給気運転の指示を受けた場合、給気運転が行われるように空気調和機１００の運転制御を行う。
【０１２５】
給気運転が行われる場合には、吸着用ファンモータ１５９が作動されず、また、加熱装置１５２が通電されずに、上述の加湿運転と同様の動作が行われる。これにより、室外から取り入れられた空気が、加湿されずに上述と同様の経路を通って室内機１０２ａ，１０２ｂへと送られる。
【０１２６】
（４）排気運転
制御部１６０は、リモコン１８０からの排気運転の指示を受けた場合に、排気運転が行われるように空気調和機１００の運転制御を行う。なお、第１室内機１０２ａよび第２室内機１０２ｂの両方で排気運転が行われる場合、制御部１６０は、空気流路切り換え部１３０が第１状態となるように、ダンパ駆動モータ１４２を駆動させる。また、第１室内機１０２ａのみで排気運転が行われる場合、制御部１６０は、空気流路切り換え部１３０が第２状態となるように、ダンパ駆動モータ１４２を駆動させる。さらに、第２室内機１０２ｂのみで排気運転が行われる場合、制御部１６０は、空気流路切り換え部１３０が第３状態となるように、ダンパ駆動モータ１４２を駆動させる。
【０１２７】
以下、第１室内機１０２ａおよび第２室内機２ｂの両方で排気運転が行われる場合を例として説明する。
【０１２８】
制御部１６０は、吸排気切り換えダンパ１５３が排気状態に、空気流路切り換え部１３０が第１状態に切り換わるように制御し、加湿ファン１５４を回転させるモータを駆動させる。なお、排気運転時には、吸着用ファンモータ１５９は駆動されず、加熱装置１５２は通電されない。
【０１２９】
加湿ファン１５４が駆動されると、室内機１０２ａ，１０２ｂから取り込まれた部屋１０１ａ，１０１ｂ内の空気は、吸排気ホース１０６ａ，１０６ｂを経て加湿ユニット１０４の内部に取り込まれ、上述の加湿運転時とは逆方向に流れることにより室外へ排出される。すなわち、吸排気ダクト１５８から加湿ユニット本体１０６の内部に取り込まれた空気は、空気流路切り換え部１３０、吸排気切り換えダンパ１５３、加湿ファン１５４を通り、加湿ロータ１５１を下方から上方に通過し、吸排気口１０７ｃから室外へと排出される。
【０１３０】
なお、本実施形態では、２つの部屋１０１ａ，１０１ｂに対して、給気運転または排気運転が行われているが、２つ以上の複数の部屋に給気運転および排気運転が行われるように、空気流路切り換え部を構成してもよい。
【０１３１】
＜特徴＞
（１）
上記実施形態では、空気流路切り換え部１３０は、加湿ユニットケーシング１０７の外側に配置されている。このため、空気流路切り換え部１３０が加湿ユニットケーシング１０７内に配置される場合と比較して、加湿ユニット１０４のサイズを小さくすることができる。
【０１３２】
これによって、室外機１０３のサイズを小さくすることができている。
【０１３３】
（２）
上記実施形態では、吸排気ダクト１５８には、吸排気ホース１０６ａ，１０６ｂに適用されている配管の管径よりも大きい管径の配管が適用されている。このため、吸排気ダクト１５８における圧力損失を抑えることができる。
【０１３４】
また、加湿運転時には、吸排気ダクト１５８内を加湿空気が通ることになる。この空気調和機１００では、吸排気ダクト１５８における圧力損失が低減されているため、加湿空気が吸排気ダクト１５８内で結露し難くすることができている。
【産業上の利用可能性】
【０１３５】
本発明は、複数の部屋内への給気を１台の給気ユニットによって実現することができるため、空気調和機への適用が有効である。
【符号の説明】
【０１３６】
３２      仕切部（仕切部材）
１３２              ダンパ（仕切部材）
１，１００  空気調和機
１ａ，１０１ａ  第１部屋
１ｂ，１０１ｂ  第２部屋
２ａ，１０２ａ  第１室内機（第１室内ユニット）
２ｂ，１０２ｂ  第２室内機（第２室内ユニット）
４，１０４  加湿ユニット（給気ユニット）
６，１０６ａ  加湿ユニット本体（給気ユニット本体）
６ａ，１０６ａ  第１吸排気ホース（第１配管）
６ｂ，１０６ｂ  第２吸排気ホース（第２配管）
７ｃ，１０７ｃ  吸排気口（開口）
３０，１３０      空気流路切り換え部（切り換え部）
５１，１５１      加湿ロータ（加湿部）
５８，１５８      吸排気ダクト（第３配管）
６０，１６０      制御部
【先行技術文献】
【特許文献】
【０１３７】
【特許文献１】特開２００６−１０３０７号公報
【手続補正２】
【補正対象書類名】特許請求の範囲
【補正対象項目名】全文
【補正方法】変更
【補正の内容】
【特許請求の範囲】
【請求項１】
第１部屋（１ａ，１０１ａ）内に配置される第１室内ユニット（２ａ，１０２ａ）と、
第２部屋（１ｂ，１０１ｂ）内に配置される第２室内ユニット（２ｂ，１０２ｂ）と、
前記第１室内ユニットに接続される第１配管（６ａ，１０６ａ）と、前記第２室内ユニットに接続される第２配管（６ｂ，１０６ｂ）と、室外の空気を取り込むための開口（７ｃ，１０７ｃ）が形成されている第３配管（５８，１５８）と、前記第１配管を介して前記第１室内ユニットに室外の空気を供給し前記第２配管を介して前記第２室内ユニットに室外の空気を供給可能な給気ユニット本体（６，１０６）と、前記第３配管内部の第３空間と前記第１配管内部の第１空間とが連通する第１状態と前記第３空間と前記第２配管内部の第２空間とが連通する第２状態とを少なくとも切り換え可能なように前記第１空間および前記第２空間を仕切ることが可能な仕切部材（３２，１３２）を含む切り換え部（３０，１３０）と、を有する給気ユニット（４，１０４）と、
前記第１状態と前記第２状態とが切り換わるように、前記仕切部材をスライド移動させる制御を行う制御部（６０）と、
を備える空気調和機（１，１００）。
【請求項２】
前記第３配管は、前記仕切部材の移動方向の延長線上に配置されている、
請求項１に記載の空気調和機。
【請求項３】
前記切り換え部は、前記第１配管、前記第２配管および前記第３配管と接続されており、前記仕切部材を内部に収納しているケーシングを更に有し、
前記制御部は、前記仕切部材を、前記ケーシングの長手方向にスライド移動させる、
請求項１または２に記載の空気調和機。
【請求項４】
前記仕切部材は、前記ケーシング内部の空間を、前記第３配管と前記ケーシングとの接続部分を含む第４空間と、前記第４空間以外の空間である第５空間とに仕切ることが可能であり、
前記切り換え部は、前記第４空間と前記第５空間とを接続する接続部を更に有する、
請求項３に記載の空気調和機。
【請求項５】
前記仕切部材には、前記接続部内部の空間と前記第１空間および前記第２空間とを連通させるための連通路が形成されている、
請求項４に記載の空気調和機。
【請求項６】
前記接続部は、前記ケーシングの上側に配置されている、
請求項４または５に記載の空気調和機。
【請求項７】
前記制御部は、前記制御を行うことで、前記第１空間および前記第２空間と前記第３空間とを同時に連通させることが可能である、
請求項１から６のいずれかに記載の空気調和機。
【請求項８】
前記給気ユニットは、前記第１配管、前記第２配管および前記第３配管を介して前記第１部屋内および前記第２部屋内の空気を室外に排気することができる、
請求項１から７のいずれかに記載の空気調和機。
【請求項９】
前記制御部は、前記制御を行うことで、前記第１配管の内側および前記第２配管の内側を流れる空気の流量を調節可能である、
請求項１から８のいずれかに記載の空気調和機。
【請求項１０】
前記第１配管および前記第２配管には、前記第３配管の径よりも小さい径の配管が用いられる、
請求項１から９のいずれかに記載の空気調和機。